(57)【要約】【課題】  光ディスク装置において、ピックアップやターンテーブルなどを搭載する可動シャーシの昇降手段において、データの記録または再生をするときは前記可動シャーシの位置が安定していると共に、且つ前記可動シャーシの昇降手段において小型化と薄型化が実現出来る実用性に優れた光ディスク装置を提供することを目的とする。【解決手段】  可動シャーシ２０には後側２１に設けた支点５２により昇降動作を可能とすると共に、前記可動シャーシ２０の前面壁２２の２箇所に突起２３を形成し、これと対向位置に設けた昇降用プレート４０に形成した誘導孔４１と前記突起２３の一方が摺動して前記可動シャーシ２０を昇降させると共に、前記誘導孔４１の両端を延設した平行部４４の片端と、別に設けた係合溝４７の２箇所が前記２箇所の突起２３と係合して保持することにより可動シャーシ２０の位置の安定を図った。【選択図】      図１
2006040412.tif 000002
【特許請求の範囲】
【請求項１】
ターンテーブルとクランパにより光ディスクを挟持して固定させ、該固定された光ディスクの記録または再生を行う光ディスク装置において、前記ターンテーブルが設けられると共に該ターンテーブルと共に弧を描きながら昇降される可動シャーシに２箇所の突起を一体的に形成し、前記可動シャーシの取り付けられた前記光ディスク装置のフレームに前記可動シャーシを昇降させる誘導孔の形成された昇降用プレートを設け、前記誘導孔に前記２箇所の突起の内の一方を摺動自在に挿通させ、該一方の突起が前記誘導孔に誘導され前記ターンテーブルを前記可動シャーシと共に上方に可動された際、前記２箇所の突起の内の他方の突起が前記昇降用プレートに形成された係合溝に係合されるように構成したことにより、前記２箇所に形成した突起が前記昇降用プレートの摺動により前記誘導孔に誘導されて前記可動シャーシが上昇位置にあるときは、前記２箇所の突起の一方は前記誘導孔と係合し、前記他方の突起は係合溝に係合することにより、前記フレームに設けたクランパと前記可動シャーシに設けたターンテーブルにより光ディスクを挟持して固定することが出来ることを特徴とする光ディスク装置。
【請求項２】
前記誘導孔は、前記昇降用プレートの摺動動作に連動して前記シャーシに形成した一方の突起を上下に誘導する為の傾斜部と、該傾斜部の両端から前記昇降用プレートの摺動方向に延設した平行部により構成したことを特徴とする請求項１に記載の光ディスク装置。
【発明の詳細な説明】
【技術分野】
【０００１】
本発明は、ＤＶＤなどの光ディスクの記録再生に用いる光ディスク装置であり、特に光ディスクを安定させた状態で保持することができる光ディスク装置に関する。
【背景技術】
【０００２】
従来の光ディスク装置ついては、例えば次のような従来技術が知られている。図９に示すようにディスクトレイ（図示略）の光ディスク挿脱口側を下面側とすると、可動シャーシ２０の後側２１には図示しないフレームとの間の２箇所に設けた緩衝体取り付け孔２４に緩衝体（図示略）を介して支持されており、可動シャーシ２０は前記緩衝体を支点として昇降自在に配置されている。また、前記可動シャーシ２０の前面壁２２には突起２３が図１０において横方向に２箇所形成されている。更に、前記可動シャーシの前面に対向した位置に前記フレームに設けた昇降用プレート案内部（図示略）にガイドされ横方向に摺動可能に配置された昇降用プレート４０があり、図１０に示す該昇降用プレート４０には誘導孔４１が横方向に２箇所形成されている。この２箇所に形成されたおのおのの誘導孔４１の両端部には横方向に延設した誘導孔の平行部４４が設けてあり、前記可動シャーシ２０の前面壁２２の２箇所に形成された突起２３と摺動可能に係合されている。また、前記昇降用プレート４０には図示しない駆動用モータの回転駆動力を直線運動に変換するラック４８が配置されている。該昇降用プレート４０は前記駆動用モータの回転駆動力をラック４８により横方向への往復運動を可能とし、昇降用プレート４０に形成された誘導孔４１により前記可動シャーシ２０の前面側は前記緩衝体を支点として昇降可能な自由端となる。
【０００３】
また、図１０は可動シャーシ２０の上面高さが前記昇降用プレート４０の上面縁と概ね一致しており、図示しないクランパとターンテーブルが光ディスク（図示略）を狭持している状態を示す。この状態では図１０に示すよう前記可動シャーシの前面壁２２の２箇所に設けた突起２３と、前記昇降用プレート４０に設けた２箇所の誘導孔４１を延設した誘導孔の平行部４４の片端４５が係合されている。
【０００４】
続いて図１１は、前記可動シャーシ２０が降下途中にある状態の説明図である。図示しないクランパとターンテーブルに狭持されていた光ディスクはクランパとターンテーブルから離れてディスクトレイ（図示略）の載置面に当接されており、すでに可動シャーシ２０の前側が下降し始めており前記昇降用プレート４０の前面側が前記図１０より下降した位置にある。この状態では前記可動シャーシの前面壁２２の２箇所に設けた突起２３は、前記昇降用プレート４０に設けた２箇所の誘導孔４１に摺動しながら移動している。
【０００５】
次に図１２について説明する。前記光ディスクを光ディスク装置から取り出すために前記可動シャーシ２０は下降を完了している。前記可動シャーシ２０の前面壁２２に２箇所に設けた突起２３は、前記昇降用プレート４０に設けた２箇所の誘導孔４１を延設した誘導孔の平行部４４の右方向にある他端４６に移動して係合されている。
【０００６】
また、特許文献１には、図１３に示すように、図示しないディスクトレイの上方位置と下方位置とに振り分けて、光ディスク（図示略）を狭持するチャッキング機構の受け部材（ターンテーブル・図示略）とディスク押付け部材（クランパ・図示略）とを配備する。図示しないディスク押付け部材を取付けたドライブシャーシ（可動シャーシ）２０の長手方向一端部２１を、図示しない機枠（フレーム）に第１緩衝体５３を介して取付ける。ドライブシャーシ（可動シャーシ）２０の自由端（前面壁）２２との対向箇所に配備したカム板（昇降用プレート）４０のカム（誘導孔）４１に案内されて昇降動作される可動体５９に、防振ゴムでなる第２緩衝体５４を介してドライブシャーシ（可動シャーシ）２０の自由端２２を連結する。可動体５９を中空筒状の軸体で形成し、ドライブシャーシ（可動シャーシ）２０の自由端（前面壁）２２に突起した軸体２３と可動体５９との間に第２緩衝体５４を圧入状態で介在させる方法が提案されている。
【０００７】
【特許文献１】特開２００３−２２３７７６号公報
【発明の開示】
【発明が解決しようとする課題】
【０００８】
前記従来例によれば、前記昇降用プレートは前記駆動用モータの回転駆動力をラックにより直線運動に変換されて左右方向への往復運動が可能であり、該昇降用プレートの２箇所に形成された誘導孔と前記可動シャーシの前面側に形成した２箇所の突起との摺動により、前記可動シャーシはその後側の２箇所に配置した緩衝体を支点として上下方向に昇降可能な自由端とすることができる。これにより、前記可動シャーシは前記２箇所の突起と誘導孔の摺動部と２箇所の緩衝体の合計４箇所により支持されている。しかし、前記光ディスクの挿脱口側である前面側に配置し、可動シャーシの幅方向に対する傾きを防止して安定性を確保するために設けられた２箇所の突起の間隔は、限られた可動シャーシの幅寸法による幅方向の制約の中で前記誘導孔を２箇所設置したことにより狭く、且つ突起の取り付け位置は可動シャーシの幅中心位置に対して偏りを生ずることは避けられない状況にあり、前記クランパとターンテーブルが光ディスクを保持している状態、即ち可動シャーシが上昇している状態、言い換えれば光ディスクとピックアップが近接している状態は光ディスクの記録面とピックアップから照射されるレーザー光の光軸が常に直交していることが要求されており、ピックアップを支持する可動シャーシが幅方向に傾きを生じ易い、若しくは傾くことは光ディスクとの記録データの授受において問題となる。また、可動シャーシが下降を開始した以降は光ディスクとの距離が離れるため、下降位置にあるときは、可動シャーシに対して位置の安定性は特段要求されないので、実質おのおの２箇所の傾斜溝と突起はあまり意味を持たない。また、逆におのおの２箇所の誘導孔と前記２箇所の突起の摺動によって可動シャーシを昇降させるには昇降用プレートの幅が広く必要であり、周辺に配置する可動シャーシ駆動機構の小型化、ひいてはディスク装置のコンパクト化に妨げとなっている。
【０００９】
また、特許文献１で提案されているディスク装置では、可動シャーシの自由端を傾動させるための可動体を軸体によって形成したので、その可動体の大きさが小型化され、また、可動体を軸体によって形成することにより可動シャーシの自由端の左右両側のスペースをモータの設置スペースなどに活用が可能となる。これによりモータからディスクトレイのラックまでの距離を短くして歯車列の構成の簡素化が可能としているが、ドライブシャーシ（可動シャーシ）の長手方向一端部と機枠（シャーシ）とは緩衝体を介して支持されており、且つ、可動シャーシの自由端側が前記可動シャーシのほぼ中央に位置する緩衝性を備えた可動体と、カム板（昇降用プレート）に設けたカム溝（誘導溝）と摺動自在に係合する機構は１組であることから、該可動シャーシは緩衝性支持体による３点支持の構成といえる。これにより、光ディスクをクランプしている時にディスク装置に対して小さな振動や衝撃を受ける場合では衝撃が吸収される構成となっているが、利用者が意図しない状況で硬質の物体が衝突してしまうといった状況では収容された光ディスクに損傷を与えるような影響が出てしまうことが懸念される。更に、光ディスクをクランプしている時は可動シャーシの前面側である自由端が１箇所で支持されているため可動シャーシの位置安定性が劣るといった問題がある。
【００１０】
本発明は、上記従来技術における問題点を鑑み、光ディスクを狭持するクランパと前記光ディスクを回転駆動するターンテーブル、及び光ディスクにデータを記録または再生するピックアップなどを備えた可動シャーシを、昇降用プレートに設けられた誘導孔と前記可動シャーシに設けた突起との摺動により昇降させる可動シャーシの昇降駆動機構において、前記可動シャーシを昇降させる昇降用プレートに形成した昇降駆動用の溝形状を工夫することにより、安定した光ディスクのクランプ動作を得ると共に、前記昇降用プレートの強度を確保し、光ディスク装置において光ディスクを収納したときは、可動シャーシの姿勢を安定させることによりピックアップの位置精度を高め、更に衝撃に強いディスククランプを得ると共に、昇降用プレートなどの小型化により可動シャーシの昇降駆動機構の小型化と薄型化が実現可能な光ディスク装置を提供することを目的とする。
【課題を解決するための手段】
【００１１】
請求項１に係る光ディスク装置は、ターンテーブルとクランパにより光ディスクを挟持して固定させ、該固定された光ディスクの記録または再生を行う光ディスク装置において、前記ターンテーブルが設けられると共に該ターンテーブルと共に弧を描きながら昇降される可動シャーシに２箇所の突起を一体的に形成し、前記可動シャーシの取り付けられた前記光ディスク装置のフレームに前記可動シャーシを昇降させる誘導孔の形成された昇降用プレートを設け、前記誘導孔に前記２箇所の突起の内の一方を摺動自在に挿通させ、該一方の突起が前記誘導孔に誘導され前記ターンテーブルを前記可動シャーシと共に上方に可動された際、前記２箇所の突起の内の他方の突起が前記昇降用プレートに形成された係合溝に係合されるように構成したことにより、前記２箇所に形成した突起が前記昇降用プレートの摺動により前記誘導孔に誘導されて前記可動シャーシが上昇位置にあるときは、前記２箇所の突起の一方は前記誘導孔と係合し、前記他方の突起は係合溝に係合することにより、前記フレームに設けたクランパと前記可動シャーシに設けたターンテーブルにより光ディスクを挟持して固定することが出来ることを特徴とする。
【００１２】
請求項１の構成によれば、可動シャーシの一方の突起が昇降用プレートの誘導孔に挿通された状態で、もう一方である可動シャーシの他方の突起が昇降用プレートの係合溝に係合されるから、例えば、従来の光ディスク装置のように、可動シャーシに設けられた単独の突起のみで可動シャーシを保持するのではなく、一方の突起が誘導孔に挿通された状態で昇降用プレートの係合溝に突起部が係合されるので、ターンテーブルとクランパにより挟持して固定された光ディスクを確実且つ安定させた状態で保持することができ、且つ光ディスクを挟持する際の挟持動作を確実にすることが出来る。
【００１３】
請求項２に係る光ディスク装置は、請求項１の光ディスク装置において、前記誘導孔は、前記昇降用プレートの摺動動作に連動して前記シャーシに形成した一方の突起を上下に誘導する為の傾斜部と、該傾斜部の両端から前記昇降用プレートの摺動方向に延設した平行部により構成したことを特徴とする。
【００１４】
請求項２の構成によれば、前記誘導孔は、前記昇降用プレートの摺動動作に連動して前記シャーシに形成した一方の突起を上下に誘導する為の傾斜部と、該傾斜部の両端から前記昇降用プレートの摺動方向に延設した平行部により構成したことにより、昇降用プレートは静止位置である上昇位置、或いは下降位置において、前記一方の突起を前記延設した平行部に位置させることにより、該平行部の上下の縁部に阻まれて前記突起は上下方向の動きが出来ないため、前記昇降用プレートは静止位置の安定を確保することが出来る。
【発明の効果】
【００１５】
請求項１に係る光ディスク装置の発明によれば、ターンテーブルとクランパにより光ディスクを挟持して固定させ、該固定された光ディスクの記録または再生を行う光ディスク装置において、前記ターンテーブルが設けられると共に該ターンテーブルと共に弧を描きながら昇降される可動シャーシに２箇所の突起を一体的に形成し、前記可動シャーシの取り付けられた前記光ディスク装置のフレームに前記可動シャーシを昇降させる誘導孔の形成された昇降用プレートを設け、前記誘導孔に前記２箇所の突起の内の一方を摺動自在に挿通させ、該一方の突起が前記誘導孔に誘導され前記ターンテーブルを前記可動シャーシと共に上方に可動された際、前記２箇所の突起の内の他方の突起が前記昇降用プレートに形成された係合溝に係合されるように構成したから、ターンテーブルとクランパにより挟持して固定された光ディスクを確実且つ安定させた状態で保持でき、しかも、光ディスクを挟持する際の挟持動作を確実にすることが出来るので、故障などを軽減し、動作の安定した光ディスク装置を提供することが出来る。
【００１６】
請求項２に係る光ディスク装置の発明によれば、前記昇降用プレートの摺動動作に連動して前記シャーシに形成した一方の突起を上下に誘導する為の傾斜部と、該傾斜部の両端から前記昇降用プレートの摺動方向に延設した平行部により構成したことにより、前記昇降用プレートは静止位置である上昇位置、或いは下降位置において、前記一方の突起を前記延設した平行部に位置させることにより、該平行部の上下の縁部に阻まれて前記突起は上下方向の動きが出来ないため、前記昇降用プレートは静止位置の安定を確保することが出来る。また、前記上昇位置においては、前記２箇所の突起の内の一方は前記延設した平行部と係合され、他方の突起は前記昇降用プレートに形成された係合溝に係合されており、前記２箇所の突起は前記平行部と係合溝の上下の縁部に阻まれて上下方向の動きは抑制され、ターンテーブルとクランパにより挟持して固定された光ディスクを更に確実且つ安定させた状態で保持することが出来る。更に、前記昇降用プレートにおいては前記誘導孔の１箇所と前記平行部の片方を省略した形状となり、孔や溝を大幅に減らすことが出来ることにより撓みを抑え強度を増すことが出来るので、設計段階において可動シャーシの全体に高さを抑えて薄型化を図るとか幅方向を狭くするなど強度の増加分に相当する形状の変更が可能となり設計時における自由度を向上させることが出来るなど、可動シャーシの昇降駆動機構の小型化と薄型化を実現することが可能となると共に、光ディスク装置のコンパクト化にも寄与することが出来る。
【発明を実施するための最良の形態】
【００１７】
以下、本発明を実施するための最良の形態としての実施例を図１〜図８により以下に説明する。もちろん、本発明は、その発明の趣旨に反さない範囲で、実施例において説明した以外のものに対しても容易に適用可能なことは説明を要するまでもない。
【００１８】
図１は本発明における一実施例を示す可動シャーシと昇降用プレートの分解斜視説明図である。
【００１９】
図１に示す光ディスク装置１には、フレーム１０上に記録媒体である光ディスク２を光ディスク装置１の内外に挿脱自在に移動し載置するディスクトレイ３０がフレーム１０の側壁部１１に設けられたトレイ案内部１３によって図の前後方向に摺動自在に配置されていると共に、前記フレーム１０にはターンテーブル６２に載置された前記光ディスク２を図の上面側から押さえて該光ディスク２を狭持するクランパ５０が設けられている。また、前記フレームの後側に２箇所の緩衝体取り付け孔２４が配置され、緩衝体５２を介して可動シャーシ２０が前記緩衝体５２を支点として昇降可能に設けられている。前記可動シャーシ２０にはディスク駆動モータ６１が配置されており、該ディスク駆動モータ６１の駆動軸に配置され、前記回転駆動力を前記光ディスク２に伝達するターンテーブル６２が支持されている。更に、前記可動シャーシ２０には前記光ディスク２の記録面にレーザー光を照射してデータを記録または再生するピックアップ７０が配置されている。これにより、前記可動シャーシ２０に配置され前記ターンテーブル６２、ピックアップ７０などは該可動シャーシ２０の昇降に合わせて弧を描きながら昇降動作が可能である。
【００２０】
次に、図１に示す可動シャーシ２０の手前方向にある前面壁２２と、これに対向して配置された昇降用プレート４０ついて説明する。前記フレーム１０の前面側には昇降用プレート４０を図の左右方向に摺動自在に駆動可能とする昇降用プレート案内部１２が備えられると共に、図示しない歯車やピニオンにより前記昇降用プレート４０を左右方向に駆動するためのラック４８が形成されている。また、前記可動シャーシ２０の前面壁２２には所定の間隔で略円柱状の突起２３が２箇所配置されており、対向して配置された前記昇降用プレート４０には誘導孔４１と係合溝４７が形成され、前記２箇所に配置された突起２３と摺動自在に係合している。これにより、前記図示しないピニオンの回転駆動力を前記ラック４８により左右方向に移動する前記昇降用プレート４０の直線駆動力は前記誘導孔４１により前記可動シャーシ２０に伝達され、該可動シャーシ２０は前記２箇所に配置した緩衝体５２を支点として昇降動作をする。
【００２１】
続いて、図２、図３及び図６により、可動シャーシ２０と昇降用プレート４０の動作について詳細を説明する。
【００２２】
図２は本実施例における可動シャーシと昇降用プレートが配置された平面図である。また、図３は可動シャーシと昇降用プレートが配置された正面図であり、共に可動シャーシが上昇位置にある状態を示している。また、図６は前記上昇位置にある可動シャーシと昇降用プレートを側面から見た図である。図２に示す前記可動シャーシ２０の前面壁２２には所定の間隔をおいて略円柱状の突起２３が形成されており、これを正面から見ると図３に示すように前記昇降用プレート４０に形成された誘導孔４１にはその両端部に誘導孔の平行部４４が延設され、該誘導孔の平行部４４の片端４５と前記２箇所に形成された前記略円柱状の突起２３の一方が係合している。また、前記２箇所に配置された他方の突起２３と係合する係合溝４７が前記２箇所に配置された突起と同じ間隔で前記昇降用プレート４０に形成されている。図２及び図３は前記可動シャーシ２０が図６に示すように上昇位置にあり、図１に示す光ディスク２をクランパ５０とターンテーブル６２により狭持されている状態を示している。これにより、前記可動シャーシ２０は昇降用プレート４０に形成された誘導孔４１の平行部４４の片端４５と係合溝４７の２箇所で前記昇降用プレート４０に係合されている。したがって、前記可動シャーシ２０は前記２箇所に配置した緩衝体５２を合わせた４箇所で支持されていることとなり、該可動シャーシ２０の位置の安定性は確保されている。更に、前記昇降用プレート４０に形成した係合溝４７は、概ね従来技術による誘導孔４１とこれに延設した誘導孔の平行部４４の他方を省略した形状であり、当該省略した長さ分だけ前記２箇所に形成した突起２３の間隔を広げて配置することが出来る。従って、間隔を広げた分だけ前記可動シャーシ２０の係合位置の安定性が優れていることとなる。また、図２には前記省略可能な長さ分のいくらかを切り詰めて前記２箇所に形成した突起２３と誘導孔４１及び係合溝４７を少し狭く配置してあるが、従来例よりも前記２箇所に形成した突起２３の間隔などは広く確保されており、前記昇降用プレート４０の安定性を確保しながら幅方向を短くすることも可能である。
【００２３】
続いて図４及び図７は本発明における可動シャーシ２０が下降途中にある状態を示している。前記昇降用プレート４０が図の左方向に移動して可動シャーシ２０に形成された突起２３は前記係合溝４７及び前記誘導孔４１の平行部４４の片端４５との係合が解除されている。
【００２４】
図７に示すように前記可動シャーシ２０の前面側は少し下降しており、図４に示す該可動シャーシ２０に形成された突起２３の一方は前記昇降用プレート４０に形成された誘導孔４１の平行部４４の片端４５から外れて誘導孔４１の縁面を摺動しながら移動していると共に、同じく前記可動シャーシ２０に形成された前記突起２３の他方は前記昇降用プレート４０に形成された係合溝４７から外れている。従って前記可動シャーシ２０が下降するときは、前記誘導孔４１のみで案内されている。また、該可動シャーシ２０が下降することにより、図１に示すターンテーブル５０とクランパ６２で狭持されていた光ディスク２はクランプが解除されディスクトレイ３０の載置面に当接されている。
【００２５】
次に図５及び図８は本発明における可動シャーシ２０が下降を完了し、図１に示す光ディスク２はディスクトレイ３０上に載置され、前記ディスクトレイ３０が図１の手前方向に引き出される、或いは引き出されてディスクトレイ３０から光ディスク２が取り外されている。または光ディスク２を新たに挿入することが出来る状態を示している。
【００２６】
図５に示す前記昇降用プレート４０は図の左側方向に移動して該昇降用プレート４０に形成された誘導孔４１の平行部４４の他端４６と可動シャーシ２０に形成された突起２３の一方とが係合しており、図８のように前記可動シャーシ２０の前面側は最下位置に移動している。このときの可動シャーシ２０は前記可動シャーシ２０の前面壁２２に設けられた略円柱状の突起２３の一方と前記昇降用プレート４０に形成した誘導孔４１の平行部４４の他端４６の１箇所で係合されているが、特段の係合位置精度は要求されていない位置にあり、問題はない。
【００２７】
以上のように前記可動シャーシ２０は、前記ディスクトレイ３０の光ディスク挿脱口側３１に対して後側２１に緩衝体５２を２箇所設け、該２箇所の緩衝体５２を支点としてフレーム１０に支持されており、前記ディスクトレイ３０の載置された光ディスク２に対して昇降自在な可動シャーシ２０が前記緩衝体５２を支点として弧を描きながら昇降することを可能としている。また、昇降用プレート４０が左右方向の動きをすることにより前記可動シャーシ２０に形成した突起２３が前記昇降用プレート４０に形成した誘導孔４１に案内されて前記可動シャーシ２０が前記緩衝体５２を支点として昇降することで、前記可動シャーシ２０に支持されているディスク駆動モータ６１やターンテーブル６２、ピックアップ７０などを前記光ディスク２に接近させる或いは遠ざける動作を行うことが出来る。
【００２８】
また、更に詳細に説明を加えると、可動シャーシ２０の前面に形成した前面壁２２には光ディスク挿脱口側３１の幅方向に所定の間隔２５で略円柱状の突起２３が２箇所に形成されている。また、前記可動シャーシ２０の前面壁２２と対向する位置に昇降用プレート４０が配置してあり、この昇降用プレート４０は前記フレーム１０に設けた案内部１２により前記可動シャーシ２０の前面壁２２の幅方向に摺動可能に支持されている。更にこの前記昇降用プレート４０には前記可動シャーシ２０の前面壁２２に形成した前記突起２３の一方と摺動自在に係合する誘導孔４１を設け、更に該誘導孔４１の両端には前記可動シャーシ２０の前面壁２２の幅方向に平行部４４を延設してあり、該延設した誘導孔４１の平行部４４の片端４５と２箇所に形成された前記突起２３の一方が係合すると共に、前記突起２３の他方の位置に前記前面壁２２の幅方向に切り欠いた係合溝４７を形成した昇降用プレート４０を備えたことにより、光ディスク装置１に光ディスク２を収容し、ターンテーブル６２とクランパ５０により光ディスク２を狭持している時は前記２箇所に配置した突起２３が前記誘導孔４１に延設した平行部４４の片端４５と係合溝４７とで係合して前記可動シャーシ２０を保持することが出来るので、該可動シャーシ２０の位置の安定性は確保することが出来る。また、前記光ディスク２のクランプを解除しターンテーブル６２から離脱させる際は、前記略円柱状の突起２３の１箇所と前記誘導孔４１のみで前記可動シャーシ２０の下降を案内すると共に、係合を保持することが出来る。
【００２９】
これら前記可動シャーシ２０に形成した２箇所の突起２３と、前記昇降用プレート４０に形成した誘導孔４１と該誘導孔４１を延設した平行部４４、及び係合溝４７の構成は、従来のように誘導孔４１とこれを延設した平行部４４を２箇所設けた場合と比べると、従来２箇所に配置した誘導孔４１とこれを延設した平行部４４のうち、一組の誘導孔４１とこれを延設した平行部４４はそのままの形状で残し、もう一組の誘導孔４１と平行部４４はその延設した平行部４４の片方だけを残して他は省略した形状でもあり、前記省略した誘導孔４１部分と片方の平行部４４の長さ分だけ短くすることが出来る。言い換えれば、前記省略した長さ分だけ昇降用プレート４０の幅は狭くすることが出来るが、これとは逆に、前記省略した長さ分まで昇降用プレート４０の幅を広げると共に前記可動シャーシ２０に形成した２箇所の突起２３の間隔２５を広げることができる。これら２箇所の突起２３の間隔２５を広げることにより可動シャーシ２０の幅方向の安定性は大幅に向上させることが出来る。また、昇降用プレート４０においては誘導孔４１の１箇所と平行部４４の片方を省略した形状となり、孔や溝を大幅に減らすことが出来ることにより撓みを抑え強度を増すことが出来るので、設計段階において可動シャーシ２０の全体に高さを抑えて薄型化を図るとか幅方向を狭くするなど強度の増加分に相当する形状の変更が可能となり設計時における自由度を向上させることが出来るなど、可動シャーシ２０の昇降駆動機構の小型化と薄型化を実現することが可能となると共に、光ディスク装置１のコンパクト化にも寄与することが出来る。
【００３０】
また、これらにより、従来のように可動シャーシ２０の幅方向に対する傾きを防止して安定性を確保するために設けられた２箇所の突起２３の間隔２５は、前記誘導孔４１を２箇所設置したことにより狭く、且つ突起２３の取り付け位置は可動シャーシ２０の幅中心位置に対して偏りを生ずることは避けられず、前記可動シャーシ２０が上昇して前記クランパ５０とターンテーブル６２が光ディスク２を保持している状態、即ち光ディスク２とピックアップ７０が近接している状態においては光ディスク２の記録面とピックアップ７０から照射されるレーザー光の光軸が常に直交していることが要求されており、ピックアップ７０を支持する可動シャーシ２０が幅方向に傾きを生じ易い、或いは可動シャーシ２０が傾くことにより光ディスク２との記録データの授受に支障をきたすといった問題は回避される。更に、特許文献１で提案されているディスク装置のように、可動シャーシ２０のほぼ中央に位置する可動体（突起）と、カム板（昇降用プレート）に設けたカム溝（誘導溝）と係合する機構は１箇所で保持されているに過ぎず、可動シャーシ２０の位置安定性が劣るといった問題も回避することが出来る。
【００３１】
以上、本実施例を詳述したが、本発明は、前記実施例に限定されるものではなく、本発明の要旨の範囲内で種々の変形実施が可能である。例えば、昇降用プレート４０に形成する誘導孔４１の傾斜方向やこれを延設する誘導孔の平行部４４、更に係合溝４７の配置は本実施例に限らず、使い易さを配慮して配置する位置や傾きの方向を変更するなど前記実施例に限定されるものではなく、適宜選定すればよい。
【図面の簡単な説明】
【００３２】
【図１】本発明の一実施例を示す可動シャーシと昇降用プレートの分解斜視説明図である。
【図２】本発明の一実施例を示す可動シャーシと昇降用プレートの平面説明図である。
【図３】本発明の一実施例を示す可動シャーシが上昇位置にある状態の正面説明図である。
【図４】本発明の一実施例を示す可動シャーシが下降途中にある状態の正面説明図である。
【図５】本発明の一実施例を示す可動シャーシが降下状態の正面説明図である。
【図６】本発明の一実施例を示す可動シャーシが上昇位置にある状態の側面説明図である。
【図７】本発明の一実施例を示す可動シャーシが下降途中にある状態の側面説明図である。
【図８】本発明の一実施例を示す可動シャーシが下降状態の側面説明図である。
【図９】従来の光ディスク装置における可動シャーシと昇降用プレートの平面説明図である。
【図１０】従来の光ディスク装置における可動シャーシが上昇位置にある状態の正面説明図である。
【図１１】従来の光ディスク装置における可動シャーシが下降途中にある状態の正面説明図である。
【図１２】従来の光ディスク装置における可動シャーシが降下状態の正面説明図である。
【図１３】従来の光ディスク装置における可動シャーシと昇降用プレートの分解斜視説明図である。
【符号の説明】
【００３３】
１        光ディスク装置
２        光ディスク
１０      フレーム
２０      可動シャーシ
２１      後側
２２      前面壁
２３      突起
２４      緩衝体取り付け孔
３０      ディスクトレイ
３１      光ディスク挿脱口側
４１      誘導孔
４４      誘導孔の平行部
４５      誘導孔の平行部の片端
４６      誘導孔の平行部の他端
４７      係合溝
５０      クランパ
５２      緩衝体（支点）
６１      ディスク駆動モータ
６２      ターンテーブル
７０      ピックアップ
【図１】
2006040412.tif 000003
【図２】
2006040412.tif 000004
【図３】
2006040412.tif 000005
【図４】
2006040412.tif 000006
【図５】
2006040412.tif 000007
【図６】
2006040412.tif 000008
【図７】
2006040412.tif 000009
【図８】
2006040412.tif 000010
【図９】
2006040412.tif 000011
【図１０】
2006040412.tif 000012
【図１１】
2006040412.tif 000013
【図１２】
2006040412.tif 000014
【図１３】
2006040412.tif 000015